(57)【要約】【課題】シートを取り出して使用する段階で、香料成分が揮散するマイクロカプセル担持層を安定して形成でき、もって、製品完成前における香料成分の揮散などを防止する。【解決手段】箱上面に形成された開封蓋部分全体を広く覆う領域をもって裏面側に固定された収納シート材料に取り出し用スリットが形成され、使用時に前記開封蓋部分を除去し、前記スリットを家庭用薄葉紙の取り出し口として家庭用薄葉紙を取り出すようにした家庭用薄葉紙収納箱の製造方法において、前記収納シート材料に予めコロナ放電処理しておき、前記家庭用薄葉紙の取り出し時に擦れる部分に香料成分を封入するマイクロカプセル担持層を形成し、前記収納箱内に前記家庭用薄葉紙束を収納する前の段階で、前記の収納シート材料を前記裏面側に固定する。【選択図】図６
2007050905.tif 000002
【特許請求の範囲】
【請求項１】
箱上面に形成された開封蓋部分全体を広く覆う領域をもって裏面側に固定された収納シート材料に取り出し用スリットが形成され、使用時に前記開封蓋部分を除去し、前記スリットを家庭用薄葉紙の取り出し口として、収納箱内に収納した家庭用薄葉紙束から家庭用薄葉紙を取り出すようにした家庭用薄葉紙収納箱の製造方法において、
前記収納シート材料における、少なくとも前記家庭用薄葉紙の取り出し時に擦れる部分に香料成分を封入するマイクロカプセル担持層を形成し、かつ、前記家庭用薄葉紙の取り出し時に、当該家庭用薄葉紙がマイクロカプセルに擦れて接触し、前記マイクロカプセルから香料成分が揮散するようにしたものであり、
少なくとも前記マイクロカプセル担持層の形成領域に対応する前記収納シート材料面を予めコロナ放電処理しておき、
少なくとも前記収納箱内に前記家庭用薄葉紙束を収納する前の段階で、前記の収納シート材料を前記裏面側に固定する、
ことを特徴とする家庭用薄葉紙収納箱の製造方法。
【請求項２】
前記収納シート材料はプラスチックシートであり、前記マイクロカプセル担持層はマイクロカプセルとバインダーとを主体とする請求項１記載の家庭用薄葉紙収納箱の製造方法。
【請求項３】
前記プラスチックシートの前記マイクロカプセル担持層形成面と反対側の面もコロナ放電処理面とされ、前記プラスチックシートが箱上面の裏面側に接着剤により固定されている請求項２記載の家庭用薄葉紙収納箱の製造方法。
【発明の詳細な説明】
【技術分野】
【０００１】
本発明は、ティシュペーパー、キッチンペーパー、タオルペーパーなどの家庭用薄葉紙収納箱の製造方法に関する。
【背景技術】
【０００２】
ティシュペーパーの収納箱において、ティシュペーパーや収納箱に香料を塗布して、使用時にその揮散した香りを嗅ぐようにしたものが知られている（特許文献１、特許文献２）。
しかし、香り成分は時間の経過と共に揮散するので、製品を消費者が実際に使用する段階では香りの強弱が生じてしまい、製品価値として十分とは言えないものであった。その結果、提案としては存在するものの、香料入りトイレットペーパーロールが市販されている程度である。
【特許文献１】実開昭５９‐１７２１８４号公報
【特許文献２】実開平５‐４９６８０号公報
【発明の開示】
【発明が解決しようとする課題】
【０００３】
したがって、本発明の主たる課題は、シートを取り出して使用する段階で、香料成分が揮散するよう構成することによって、使用時期に関係なく、経時的に安定した香りを生じせしめるようにすることにある。他の課題は、マイクロカプセル担持層を安定して形成でき、もって、製品完成前における香料成分の揮散などを防止することにある。
【課題を解決するための手段】
【０００４】
上記課題を解決した本発明は次記のとおりである。
＜請求項１項記載の発明＞
箱上面に形成された開封蓋部分全体を広く覆う領域をもって裏面側に固定された収納シート材料に取り出し用スリットが形成され、使用時に前記開封蓋部分を除去し、前記スリットを家庭用薄葉紙の取り出し口として、収納箱内に収納した家庭用薄葉紙束から家庭用薄葉紙を取り出すようにした家庭用薄葉紙収納箱の製造方法において、
前記収納シート材料における、少なくとも前記家庭用薄葉紙の取り出し時に擦れる部分に香料成分を封入するマイクロカプセル担持層を形成し、かつ、前記家庭用薄葉紙の取り出し時に、当該家庭用薄葉紙がマイクロカプセルに擦れて接触し、前記マイクロカプセルから香料成分が揮散するようにしたものであり、
少なくとも前記マイクロカプセル担持層の形成領域に対応する前記収納シート材料面を予めコロナ放電処理しておき、
少なくとも前記収納箱内に前記家庭用薄葉紙束を収納する前の段階で、前記の収納シート材料を前記裏面側に固定する、
ことを特徴とする家庭用薄葉紙収納箱の製造方法。
【０００５】
（作用効果）
取り出し口を形成する収納シート材料における、少なくとも前記シートの取り出し時に擦れる部分に香料成分を封入するマイクロカプセル担持層が設けられ、前記シートの取り出し時に、当該シートがマイクロカプセルに擦れて接触し、前記マイクロカプセルから香料成分が揮散するようにしたので、使用時期に関係なく、経時的に安定した香りを生じさせることができる。
また、開封蓋部分の裏面側に固定された収納シート材料に、すなわち外力を直接受けない部分に、マイクロカプセル担持層が形成されているので、実際に消費者が開封蓋を開けて家庭用薄葉紙の取り出しまでの流通過程などにおいて、マイクロカプセルが破壊されて香料成分が揮散することがない。
さらに、少なくとも前記マイクロカプセル担持層の形成領域に対応する前記収納シート材料面を予めコロナ放電処理により凹凸を形成しておくことで、マイクロカプセル担持層を安定して形成でき、その担持層の脱落や、マイクロカプセルの剥離や崩壊によって香料成分が揮散を防止でき、特に、前記の収納シート材料を収納箱の裏面側に固定すると、前記収納箱内に前記家庭用薄葉紙束を収納する段階で、前記家庭用薄葉紙束の最上面と擦れがちとなるとしても、マイクロカプセル担持層の脱落などによる不具合を解決できる。
【０００６】
＜請求項２項記載の発明＞
前記収納シート材料はプラスチックシートであり、前記マイクロカプセル担持層はマイクロカプセルとバインダーとを主体とする請求項１記載の家庭用薄葉紙の収納箱の製造方法。
【０００７】
（作用効果）
プラスチックシートとして、接着性が良好でないポリエチレンなどを使用したとしても、コロナ放電処理によってマイクロカプセル担持層を安定して形成できる。
【０００８】
＜請求項３項記載の発明＞
前記プラスチックシートの前記マイクロカプセル担持層形成面と反対側の面もコロナ放電処理面とされ、前記プラスチックシートが箱上面の裏面側に接着剤により固定されている請求項２記載の家庭用薄葉紙収納箱の製造方法。
【０００９】
（作用効果）
プラスチックシートのマイクロカプセル担持層形成面と反対側の面もコロナ放電処理面とされていると、プラスチックシートと箱上面との接着剤による接着性が高まる。
【発明の効果】
【００１０】
以上のとおり、本発明によれば、要するに、シートを取り出して使用する段階で、香料成分が揮散するよう構成することによって、使用時期に関係なく、経時的に安定した香りを生じさせることができる。
また、マイクロカプセル担持層を安定して形成でき、もって、製品完成前における香料成分の揮散などを防止することができる。
【発明を実施するための最良の形態】
【００１１】
次いで、本発明をティシュペーパーの実施の形態によってさらに詳述する。
図１は、紙製収納箱たるティシュカートンＴｃの展開状態である。このティシュカートンＴｃは、中央部分が底面１、側面２、上面３、側面４として構成され、これら底面１、側面２、上面３、側面４の長手方向両側縁に、それぞれ底面側端面片１１，１１、側面端面片１２，１２、上面側端面片１３，１３、側面端面片１４，１４が連接されている。また、底面１に貼着フラップ５が連接されている。さらに、前記上面３にはティシュペーパー取り出し用のミシン目により画成された開封蓋部分２０が形成されている。
【００１２】
かかるティシュカートンＴｃは、内部にティシュペーパーＰの束が収納された状態で、汎用の組み立て形態により図２のように直方体形状にホットメルト接着剤により組立てられる。
【００１３】
また、予め、図６に示すように、上面３の裏面側には、開封蓋部分２０全体を広く覆う領域をもって、収納シート材料としての、ポリエチレン、ポリプロピレン、ポリエチレンテレフタレート、ポリスチレンなどのプラスチックシート３０が接着剤３３などにより前記上面３の裏面に接着固定されている。なお、前述した収納シート材料としては、これらシート材料を混抄させた不織布、例えばポリエチレンとポリプロピレンを混抄させた不織布が用いることができ、形態面からは、エアースルー不織布、メルトブロー不織布、ポイントボンド不織布、スパンボンド不織布等が用いることができる。また、合成紙も可能であり、混抄する合成繊維又は化学繊維としては、レーヨン、アセテート、ビニルアセテートが好適であり、他にポリエチレン、ポリプロピレン、ポリエステル等も使用可能である。
【００１４】
接着剤３３としては、ホットメルトを用いることができるとともに、他に酢酸ビニル系接着剤やアクリル系接着剤等のいわゆるコールドグルーも用いることができる。
【００１５】
プラスチックシート３０には、図３に示すように開封蓋部分２０の長さより短い、図４に示すように開封蓋部分２０の長さと実質的に同一、図５に示すように開封蓋部分２０の長さより長いなどの形態により、単位ティシュペーパーＰを取り出すための取り出し口としてのスリット３１が形成されている。
【００１６】
上記の収納箱の構造自体は基本的に公知である。
【００１７】
しかるに、本発明においては、プラスチックシート３０の少なくともティシュペーパーＰの取り出し時に擦れる部分に香料成分を封入するマイクロカプセル担持層４０が設けられている。
【００１８】
また、プラスチックシート３０表面に直接マイクロカプセル担持層４０を塗布などにより形成することもできるが、望ましくは、プラスチックシート３０表面にコロナ放電処理により凹凸３２Ａ、３２Ｂを形成してマイクロカプセル担持層４０の接着性を高めるのが望ましい。
【００１９】
かかるコロナ放電処理により凹凸３２Ａ、３２Ｂを形成した面（特にポリエチレンフィラメント表面）の「ぬれ張力」（ＪＩＳ  Ｋ  ６７６８：１９９９）としては、１〜５０ｍＮ／ｍであることが望ましい。５０ｍＮ／ｍを超えると、透明性を阻害し見栄えが悪くなり、１ｍＮ／ｍ未満であると、接着性が劣ってしまう不具合が生じる。
【００２０】
マイクロカプセル担持層４０の形成形態としては、形成領域を図面の交差ハッチングで示すと、図７のようにプラスチックシート３０全体に、図８のようにプラスチックシート３０のスリット３１の両側部分のみに、図９のようにスリット３１と直交する方向に延びるストライプ状に、あるいは図１０のように格子状になどの形態で形成できる。
【００２１】
すなわち、ティシュペーパーＰの取り出し時に、当該ティシュペーパーがマイクロカプセルに擦れて接触し、マイクロカプセルから香料成分が揮散する形態であれば、マイクロカプセル担持層４０の形成形態は限定されない。
【００２２】
本発明にかかる香料としては、特に限定されるものではないが、具体例として、例えば、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができる。市販品を使用することもできる。
【００２３】
このような香料を封入するマイクロカプセルの製法は公知の方法を用いることができ、特に限定されるものではない。具体的には、芯物質を香料とし、例えば、スチレン−無水マレイン酸の部分加水分解物と、メラミンまたは尿素とホルマリンのプレポリマを用い、インサイチュ法によってカプセル壁材であるメラミンまたは尿素−ホルマリン樹脂を形成し、香料を封入したマイクロカプセルを生成する。水系に生成した香料を封入したマイクロカプセルをそのまま使用することもできる。
【００２４】
マイクロカプセルの粒径に限定はないが、たとえば平均粒径０．３〜５０μｍ、特に３〜２０μｍが望ましい。
【００２５】
マイクロカプセル担持層４０の形成方法としては、ロール転写塗布やスプレー塗布などの適宜の方法を採用できる。特に、塗布液のグラビア塗工が望ましい。
【００２６】
塗布液としては、バインダーを使用するのが望ましく、たとえばでんぷん、ＰＶＡ、ウレタン樹脂、アクリル樹脂を使用できる。マイクロカプセルはバインダーに対して、たとえば１〜２０重量％に分散させたものを、固形分量でたとえば２．３〜２３ｇ／ｍ2の塗布量で塗布することが望ましい。塗布液中に適宜分散剤、たとえば溶剤を使用できる。
【００２７】
（製造方法）
本発明における製造方法については、既に多くを説明したが、実施例としてティシュペーパーで説明すると、少なくとも収納箱（ティシュカートンＴｃ）内にティシュペーパー束を収納する前の段階で、前記の収納シート材料、具体例としてはプラスチックシート３０を収納箱の裏面側に固定するものである。
【００２８】
すなわち、図１に示したティシュカートンＴｃを得る段階で、マイクロカプセル担持層４０を形成したプラスチックシート３０を固定しておく。
【００２９】
その後、フラップ５においてホットメルト接着剤などにより側面４と接合して成形を完了させたものを製造ラインに持ち込む。
【００３０】
製造ラインでは、図１１に示される成形完了した折り畳み状態のティシュカートンＴｃを上方または下方から吸引し及び／又は側方から押して、図１２に示すように、長手方向両側面を開口させて各筒状にするとともに、各端面片１１，１２，１３，１４を外方に向かってほぼ９０度折り曲げる。その後、図１３に示されるように、前記側部開口部からティシュカートンＴｃ内に、公知のインターホルダにより積層化したティシュペーパー束Ｔｐを収容する。この収容は例えば、角筒状のティシュカートンＴｃとティシュペーパー束Ｔｐとを並走させ、前記側部開口部からティシュカートンＴｃ内にティシュペーパーＴｐを押して収容する従来既知の方法により行うことができる。
【図面の簡単な説明】
【００３１】
【図１】ティシュペーパーの収納箱本体の展開図である。
【図２】ティシュペーパーの収納箱の斜視図である。
【図３】スリットの形成例のティシュペーパー収納箱の平面図である。
【図４】スリットの形成例のティシュペーパー収納箱の平面図である。
【図５】スリットの形成例のティシュペーパー収納箱の平面図である。
【図６】図２の６−６線矢視図である。
【図７】マイクロカプセル担持層のプラスチックシートの平面図である。
【図８】マイクロカプセル担持層のプラスチックシートの平面図である。
【図９】マイクロカプセル担持層のプラスチックシートの平面図である。
【図１０】マイクロカプセル担持層のプラスチックシートの平面図である。
【図１１】ティシュカートンの折り畳み状態の斜視図である。
【図１２】その後の製造過程を示す斜視図である。
【図１３】ティシュペーパー束の収納過程を示す斜視図である。
【符号の説明】
【００３２】
１…底面、３…上面、２０…開封蓋部分、３０…プラスチックシート、３１…スリット、３２Ａ、３２Ｂ…凹凸、３３…接着剤、４０…マイクロカプセル担持層、Ｐ…ティシュペーパー、Ｔｃ…ティシュカートン。
【図１】
2007050905.tif 000003
【図２】
2007050905.tif 000004
【図３】
2007050905.tif 000005
【図４】
2007050905.tif 000006
【図５】
2007050905.tif 000007
【図６】
2007050905.tif 000008
【図７】
2007050905.tif 000009
【図８】
2007050905.tif 000010
【図９】
2007050905.tif 000011
【図１０】
2007050905.tif 000012
【図１１】
2007050905.tif 000013
【図１２】
2007050905.tif 000014
【図１３】
2007050905.tif 000015